(57)【要約】【課題】クレイドル装置にセットするだけで何ら煩雑な操作を行なうことなしに、任意の動作モードに移行させる。【解決手段】充電池を電源とし、クレイドル装置に載置することで該充電池への充電を行なうデジタルスチルカメラ１０で、撮影レンズ１４を一面に設けた第１の本体筐体１１と、表示部２３を一面に設けた第２の本体筐体１２と、これら第１の本体筐体１１と第２の本体筐体１２とを回動自在に接続して支持するヒンジ部１３とを有し、第１の本体筐体１１と第２の本体筐体１２との当接状態を検出し、上記クレイドル装置に載置された状態で少なくとも充電池の充電を行なうと共に、上記検出結果に基づいて上記表示部２３で適宜画像の表示を行なわせる。【選択図】    図１
2004282605.tif 000002
【特許請求の範囲】
【請求項１】
充電池を電源とし、画像の撮影を行なう撮影部を一面に設けた第１の筐体と、画像の表示を行なう表示部を一面に設けた第２の筐体とをヒンジ部によりそれぞれ回動自在に接続してなる折りたたみ式の携帯電子機器と、
この携帯電子機器が上記第１の筐体の撮影部を設けた面と第２の筐体の表示部を設けた面とを当接した状態で載置された場合に、上記充電池の充電を行なうクレイドル装置と
を具備したことを特徴とする携帯電子機器システム。
【請求項２】
上記携帯電子機器は、上記撮影部での撮影により得た画像データを記録する記録手段をさらに有し、
上記携帯電子機器が上記第１の筐体の撮影部を設けていない面と第２の筐体の表示部を設けていない面とを当接した状態で上記クレイドル装置に載置された場合に、クレイドル装置により携帯電子機器の充電池の充電を行なわせると共に、上記記録手段に記録されている画像データを読出して上記表示部に再生表示させる
ことを特徴とする請求項１記載の携帯電子機器システム。
【請求項３】
上記携帯電子機器が上記第１の筐体の撮影部を設けた面及び設けていない面と第２の筐体の表示部を設けた面及び設けていない面とをそれぞれいずれも当接しない状態で上記クレイドル装置に載置された場合に、クレイドル装置により携帯電子機器の充電池の充電を行なわせると共に、上記撮影部で撮影した画像を上記表示部に表示させる
ことを特徴とする請求項１記載の携帯電子機器システム。
【請求項４】
上記撮影部で撮影し、上記表示部に表示させる画像は天地を１８０°回転させたものであることを特徴とする請求項３記載の携帯電子機器システム。
【請求項５】
上記クレイドル装置は、
載置される携帯電子機器の第１の筐体と第２の筐体の当接状態を検出する検出手段と、
この検出手段の検出結果を載置された携帯電子機器に送信する送信手段とを有し、
上記携帯電子機器は、
上記クレイドル装置に載置された状態で上記送信手段により送られてくる上記検出手段の検出結果に基づいて少なくとも充電池の充電を行なう
ことを特徴とする請求項１乃至４いずれかに記載の携帯電子機器システム。
【請求項６】
上記携帯電子機器は、
上記ヒンジ部の回動状態から第１の筐体と第２の筐体の当接状態を検出する検出手段と、
上記クレイドル装置に載置された状態で上記検出手段の検出結果に基づいて少なくとも充電池の充電を行なう充電制御手段と
を有することを特徴とする請求項１乃至４いずれかに記載の携帯電子機器システム。
【請求項７】
充電池を電源とし、クレイドル装置に載置することで該充電池への充電を行なう携帯電子機器であって、
画像の撮影を行なう撮影部を一面に設けた第１の筐体と、
画像の表示を行なう表示部を一面に設けた第２の筐体と、
上記第１の筐体と第２の筐体の間に介在し、それぞれを回動自在に接続して支持するヒンジ部と、
上記第１の筐体と第２の筐体の当接状態を検出する検出手段と、
上記クレイドル装置に載置された状態で少なくとも充電池の充電を行なうと共に、上記検出手段の検出結果に基づいて上記表示部で画像の表示を行なわせる充電制御手段と
を具備したことを特徴とする携帯電子装置。
【請求項８】
充電池を電源とし、クレイドル装置に載置することで該充電池への充電を行なう携帯電子機器の充電制御方法であって、
画像の撮影を行なう撮影部を一面に設けた第１の筐体、画像の表示を行なう表示部を一面に設けた第２の筐体、及び上記第１の筐体と第２の筐体の間に介在し、それぞれを回動自在に接続して支持するヒンジ部を有する上記携帯電子機器に対し、上記クレイドル装置に載置された状態で上記第１の筐体と第２の筐体の当接状態を検出する検出工程と、
上記クレイドル装置に載置された状態で少なくとも充電池の充電を行なうと共に、上記検出手段の検出結果に基づいて上記表示部で画像の表示を行なわせる充電制御工程と
を有したことを特徴とする携帯電子装置の充電制御方法。
【請求項９】
充電池を電源とし、クレイドル装置に載置することで該充電池への充電を行なう携帯電子機器に内蔵されたコンピュータが実行するプログラムであって、
画像の撮影を行なう撮影部を一面に設けた第１の筐体、画像の表示を行なう表示部を一面に設けた第２の筐体、及び上記第１の筐体と第２の筐体の間に介在し、それぞれを回動自在に接続して支持するヒンジ部を有する上記携帯電子機器に対し、上記クレイドル装置に載置された状態で上記第１の筐体と第２の筐体の当接状態を検出する検出ステップと、
上記クレイドル装置に載置された状態で少なくとも充電池の充電を行なうと共に、上記検出手段の検出結果に基づいて上記表示部で画像の表示を行なわせる充電制御ステップと
をコンピュータに実行させることを特徴とするプログラム。
【発明の詳細な説明】
【０００１】
【発明の属する技術分野】
本発明は、デジタルカメラやカメラ機能付きの携帯電話機等に好適な携帯電子機器システム、携帯電子機器、携帯電子機器の充電制御方法及びプログラムに関する。
【０００２】
【従来の技術】
近時、パーソナルコンピュータが一般家庭にまで広く普及したのに伴い、銀塩フィルムを用いたカメラに代わって、撮影した画像を電子データ化してパーソナルコンピュータにも取込むことが可能なデジタルカメラが多く販売されている。
【０００３】
この種のデジタルカメラで、電源となる充電池の充電中及び充電後にインテリア等として利用可能なように、充電器にセットされた状態では撮影により得た複数の画像を順次一定時間ずつ表示部で表示させる、所謂「スライドショー」とも称される機能を搭載したものが考えられている。（例えば、特許文献１参照。）
【０００４】
【特許文献１】
特開２０００−３３３０４６号公報
【０００５】
【発明が解決しようとする課題】
上記特許文献１に記載されたデジタルカメラは、充電器をセットされたことを検出して、充電中あるいは充電を完了した後に、自動的に記録している画像の再生表示動作に移行するものである。
【０００６】
ところで、データ通信機能を付加したクレイドル装置と称される充電器により、デジタルカメラをセットすることでカメラ内の充電池の充電を行なうのみならず、例えば予め該クレイドル装置をパーソナルコンピュータ等の情報処理機器とＵＳＢケーブル等のケーブルにより有線接続しておくことで、画像データの送受を自動化し、デジタルカメラで撮影した画像のパーソナルコンピュータへの転送、あるいはパーソナルコンピュータから電子カメラへの画像の転送を可能としたものが製品化されている。
【０００７】
したがって、デジタルカメラをクレイドル装置にセットすることで、上記特許文献１で示した再生表示に自動的に移行させるか、あるいはクレイドルが接続されているパーソナルコンピュータとの間の画像データの転送動作に自動的に移行させるようにすることは容易に想到し得る。
【０００８】
しかしながら、記録している画像の再生表示やパーソナルコンピュータとの画像データの転送などの複数の動作モードがある場合、デジタルカメラをクレイドル装置にセットするだけでは、どの動作モードを実行してよいのかを装置側が判別することはできないので、ユーザがカメラセット後に選択操作を行なうか、あるいは事前に実行する動作モードを選択設定しておく必要がある。
【０００９】
このように、デジタルカメラのクレイドル装置へのセットに際し、セット後に選択操作を行なわなくてはならない場合、その操作が煩雑となることも考えられる一方で、予め選択設定しておくものとした場合には、セット時に他の動作モードへ変更する場合の操作がさらに煩雑となるという不具合を生じる。
【００１０】
本発明は上記のような実情に鑑みてなされたもので、その目的とするところは、クレイドル装置にセットするだけで何ら煩雑な操作を行なうことなしに、任意の動作モードに移行させることが可能な携帯電子機器システム、携帯電子機器、携帯電子機器の充電制御方法及びプログラムを提供することにある。
【００１１】
【課題を解決するための手段】
請求項１記載の発明は、充電池を電源とし、画像の撮影を行なう撮影部を一面に設けた第１の筐体と、画像の表示を行なう表示部を一面に設けた第２の筐体とをヒンジ部によりそれぞれ回動自在に接続してなる折りたたみ式の携帯電子機器と、この携帯電子機器が上記第１の筐体の撮影部を設けた面と第２の筐体の表示部を設けた面とを当接した状態で載置された場合に、上記充電池の充電を行なうクレイドル装置とを具備したことを特徴とする。
【００１２】
このようなシステム構成とすれば、第１の筐体の撮影部を設けた面と第２の筐体の表示部を設けた面とが当接し、互いにその機能面が内側に閉じた状態でクレイドル装置に載置された場合に、上記充電池の充電のみを行なうため、無駄な動作モードに移行することなく、充電池の充電のみを確実に実施させることができる。
【００１３】
請求項２記載の発明は、上記請求項１記載の発明において、上記携帯電子機器は、上記撮影部での撮影により得た画像データを記録する記録手段をさらに有し、上記携帯電子機器が上記第１の筐体の撮影部を設けていない面と第２の筐体の表示部を設けていない面とを当接した状態で上記クレイドル装置に載置された場合に、クレイドル装置により携帯電子機器の充電池の充電を行なわせると共に、上記記録手段に記録されている画像データを読出して上記表示部に再生表示させることを特徴とする。
【００１４】
このようなシステム構成とすれば、上記請求項１記載の発明の作用に加えて、第１の筐体の撮影部と第２の筐体の表示部とが互いに反対側の外側を向くように閉じた状態でクレイドル装置に載置された場合に、上記充電池の充電のみならず、ユーザによる何らかの煩雑な選択操作なしに、表示部を用いた再生表示の動作モードに自動的に移行させることができる。
【００１５】
請求項３記載の発明は、上記請求項１記載の発明において、上記携帯電子機器が上記第１の筐体の撮影部を設けた面及び設けていない面と第２の筐体の表示部を設けた面及び設けていない面とをそれぞれいずれも当接しない状態で上記クレイドル装置に載置された場合に、クレイドル装置により携帯電子機器の充電池の充電を行なわせると共に、上記撮影部で撮影した画像を上記表示部に表示させることを特徴とする。
【００１６】
このようなシステム構成とすれば、上記請求項１記載の発明の作用に加えて、第１の筐体と第２の筐体とが開き、撮影部と表示部とが共にほぼ同一の方向に向いた状態でクレイドル装置に載置された場合に、上記充電池の充電のみならず、ユーザによる何らかの煩雑な選択操作なしに、撮影部でその時点で撮影している画像を表示部でモニタ表示させる動作モードに自動的に移行させることができ、該クレイドル装置をパーソナルコンピュータに接続しておくことでパーソナルコンピュータ用のカメラとして使用できるなど、種々のネットワークコミュニケーションに適したものとしても活用できる。
【００１７】
請求項４記載の発明は、上記請求項３記載の発明において、上記撮影部で撮影し、上記表示部に表示させる画像は天地を１８０°回転させたものであることを特徴とする。
【００１８】
このようなシステム構成とすれば、上記請求項３記載の発明の作用に加えて、撮影部で撮影した画像の天地をユーザに見やすい状態に直して表示させることができる。
【００１９】
請求項５記載の発明は、上記請求項１乃至４いずれかに記載の発明において、上記クレイドル装置は、載置される携帯電子機器の第１の筐体と第２の筐体の当接状態を検出する検出手段と、この検出手段の検出結果を載置された携帯電子機器に送信する送信手段とを有し、上記携帯電子機器は、上記クレイドル装置に載置された状態で上記送信手段により送られてくる上記検出手段の検出結果に基づいて少なくとも充電池の充電を行なうことを特徴とする。
【００２０】
このようなシステム構成とすれば、上記請求項１乃至４いずれかに記載の発明の作用に加えて、携帯電子機器の第１の筐体と第２の筐体の開閉状態をクレイドル装置の側で検出し、検出結果を載置されている携帯電子機器へ送信するようにしたので、小型化が要求される携帯電子機器側にその開閉状態を検出するための機構等を設ける必要がなく、構成機構上の制約を低減できると共に、クレイドル装置が充電に必要な電力とその他の動作に必要な電力とを認識した上で携帯電子機器に電力供給することができる。
【００２１】
請求項６記載の発明は、上記請求項１乃至４いずれかに記載の発明において、上記携帯電子機器は、上記ヒンジ部の回動状態から第１の筐体と第２の筐体の当接状態を検出する検出手段と、上記クレイドル装置に載置された状態で上記検出手段の検出結果に基づいて少なくとも充電池の充電を行なう充電制御手段とを有することを特徴とする。
【００２２】
このようなシステム構成とすれば、上記請求項１乃至４いずれかに記載の発明の作用に加えて、携帯電子機器の側でクレイドル装置に載置された自機器の第１の筐体と第２の筐体の開閉状態を検出し、その検出結果に応じた充電を含む動作状態に移行するようにしたので、携帯電子機器単体でクレイドル装置へのセット時の動作を制御でき、速やかに必要な動作モードに移行できる。
【００２３】
請求項７記載の発明は、充電池を電源とし、クレイドル装置に載置することで該充電池への充電を行なう携帯電子機器であって、画像の撮影を行なう撮影部を一面に設けた第１の筐体と、画像の表示を行なう表示部を一面に設けた第２の筐体と、上記第１の筐体と第２の筐体の間に介在し、それぞれを回動自在に接続して支持するヒンジ部と、上記第１の筐体と第２の筐体の当接状態を検出する検出手段と、上記クレイドル装置に載置された状態で少なくとも充電池の充電を行なうと共に、上記検出手段の検出結果に基づいて上記表示部で画像の表示を行なわせる充電制御手段とを具備したことを特徴とする。
【００２４】
このような構成とすれば、クレイドル装置に載置された携帯電子機器の第１の筐体と第２の筐体の開閉状態により、上記充電池の充電のみならず、ユーザによる何らかの煩雑な選択操作なしに、必要により表示部で何らかの画像を表示させる動作モードに自動的に移行させることができる。
【００２５】
請求項８記載の発明は、充電池を電源とし、クレイドル装置に載置することで該充電池への充電を行なう携帯電子機器の充電制御方法であって、画像の撮影を行なう撮影部を一面に設けた第１の筐体、画像の表示を行なう表示部を一面に設けた第２の筐体、及び上記第１の筐体と第２の筐体の間に介在し、それぞれを回動自在に接続して支持するヒンジ部を有する上記携帯電子機器に対し、上記クレイドル装置に載置された状態で上記第１の筐体と第２の筐体の当接状態を検出する検出工程と、上記クレイドル装置に載置された状態で少なくとも充電池の充電を行なうと共に、上記検出手段の検出結果に基づいて上記表示部で画像の表示を行なわせる充電制御工程とを有したことを特徴とする。
【００２６】
このような方法とすれば、クレイドル装置に載置された携帯電子機器の第１の筐体と第２の筐体の開閉状態により、上記充電池の充電のみならず、ユーザによる何らかの煩雑な選択操作なしに、必要により表示部で何らかの画像を表示させる動作モードに自動的に移行させることができる。
【００２７】
請求項９記載の発明は、充電池を電源とし、クレイドル装置に載置することで該充電池への充電を行なう携帯電子機器に内蔵されたコンピュータが実行するプログラムであって、画像の撮影を行なう撮影部を一面に設けた第１の筐体、画像の表示を行なう表示部を一面に設けた第２の筐体、及び上記第１の筐体と第２の筐体の間に介在し、それぞれを回動自在に接続して支持するヒンジ部を有する上記携帯電子機器に対し、上記クレイドル装置に載置された状態で上記第１の筐体と第２の筐体の当接状態を検出する検出ステップと、上記クレイドル装置に載置された状態で少なくとも充電池の充電を行なうと共に、上記検出手段の検出結果に基づいて上記表示部で画像の表示を行なわせる充電制御ステップとをコンピュータに実行させることを特徴とする。
【００２８】
このようなプログラム内容とすれば、クレイドル装置に載置された携帯電子機器の第１の筐体と第２の筐体の開閉状態により、上記充電池の充電のみならず、ユーザによる何らかの煩雑な選択操作なしに、必要により表示部で何らかの画像を表示させる動作モードに自動的に移行させることができる。
【００２９】
【発明の実施の形態】
以下本発明をデジタルスチルカメラシステムに適用した場合の実施の一形態について図面を参照して説明する。
【００３０】
図１は同実施の形態に係るデジタルスチルカメラ１０の外観構成を示すもので、図１（Ａ）が収納／携帯時、図１（Ｂ）が略１８０°の展開時、図１（Ｃ）が通常使用時の状態を示す。
【００３１】
図示する如くこのデジタルスチルカメラ１０は、平板状の第１の本体筐体１１と、同じく平板状の第２の本体筐体１２とを、２軸構造のヒンジ部１３で接続してそれぞれ回動自在に支持するようにして構成される。
【００３２】
図１（Ｃ）に示す通常使用時に表面側で且つカメラの前面側となる第１の本体筐体１１の一面には、撮影レンズ１４、ストロボ発光部１５、マイクロホン１６、及びセルフタイマインジケータ１７が設けられる。
【００３３】
撮影レンズ１４は、例えば単焦点の光学レンズ系が鏡筒に納められて突出形成される。
【００３４】
ストロボ発光部１５は、撮影レンズ１４の撮影範囲をカバーするべくストロボ光を照射する。
【００３５】
マイクロホン１６は、動画像撮影時及び音声メモ記録時に撮影レンズ１４の撮影範囲と一致する前方の音声を集音する。
【００３６】
セルフタイマインジケータ１７は、例えば赤色のＬＥＤ（発光ダイオード）でなり、セルフタイマモードでの撮影時にシャッタキー操作から実際に撮影が実行されるまでの間、点滅発光する。
【００３７】
また、図１（Ｃ）に示す通常使用時に表面側で且つカメラの背面側となる第２の本体筐体１２の一面には、レンズよけ凹部１８、スピーカ１９、メニューキー２０、回転ダイヤル２１、セットキー２２、及び表示部２３が設けられる。
【００３８】
レンズよけ凹部１８は、上記図１（Ａ）に示す携帯時に上記第１の本体筐体１１の撮影レンズ１４に対向する位置に形成される。
【００３９】
スピーカ１９は、動画像または音声メモの再生時に拡声放音する。
【００４０】
メニューキー２０は、各種モードメニュー項目等を表示させるために操作するキーである。
【００４１】
回転ダイヤル２１は、複数のメニュー項目から１つを選択するために回転操作するものであり、セットキー２２は上記回転ダイヤル２１の中心に位置し、選択したメニュー項目の確定を指示するために押圧操作する。
【００４２】
表示部２３は、バックライト付きのカラーＴＦＴ液晶パネルで構成され、撮影を行なう記録モードではその時点に撮影している被写体像をモニタ表示する一方で、再生モードでは記録した画像を表示出力する。
【００４３】
さらに、図１（Ｃ）に示す通常使用時に表面側で且つカメラの上面側となるヒンジ部１３の一面の右端には、シャッタキー２４が設けられる。
【００４４】
このシャッタキー２４は、記録モード時に撮影タイミングで押圧操作することにより撮影を指示する。
【００４５】
なお、図１（Ｂ）にその一部を示すように、第１の本体筐体１１及び第２の本体筐体１２共に上記ヒンジ部１３を設けた端面と相対向する反対側の端面には、それぞれ２個、合計で４個の滑り止め部２５ａ〜２５ｄが設けられるものとする。
【００４６】
これら滑り止め部２５ａ〜２５ｄは、例えばゴム製の半球状の突起を有するもので、後述する自立使用時にこのデジタルスチルカメラ１０を載置する際、載置場所に対する滑り止め効果を奏するために設けられる。
【００４７】
また、特に図１（Ｂ），（Ｃ）で下面側となる第２の本体筐体１２の上記ヒンジ部１３を設けた端面と相対向する反対側の端面には、上記滑り止め部２５ｃ，２５ｄの他に、そのほぼ中央、表示部２３の下側に位置する部位にＵＳＢ（Ｕｎｉｖｅｒｓａｌ  Ｓｅｒｉａｌ  Ｂｕｓ）コネクタ（メス）２６を設け、後述するクレイドル装置への載置に際して充電とデータ通信のための端子として機能するものとする。
【００４８】
次に図２により上記デジタルスチルカメラ１０を載置するクレイドル装置３０の外観構成を示す。
クレイドル装置３０は、デジタルスチルカメラ１０の横幅に合わせた基台３１に対し、例えばアクリル樹脂製の断面コ字状の一対の側壁部３２ａ，３２ｂを取付けることで、デジタルスチルカメラ１０を載置可能となる。
【００４９】
基台３１上面のデジタルスチルカメラ１０を載置する中央部には、コネクタ部３３がその前後方向に遊動可能な状態で設けられる。
【００５０】
このコネクタ部３３は、ＵＳＢコネクタ（オス）３４を挟んでその前側にＡスイッチ３５が、後側にＢスイッチ３６がそれぞれ上面に突出形成される。コネクタ部３３自体は、内部に形成された図示しないバネの弾性により、デジタルスチルカメラ１０を載置していない図のような状態では基台３１の上面より僅かに突出し、且つ最も前側に寄っている。
【００５１】
また、基台３１の背部からは、図示しないパーソナルコンピュータ等の情報端末装置と接続するためのＵＳＢケーブル３７と、図示しないコンセントに接続するためのＡＣコード３８が延在される。
【００５２】
さらに、基台３１の前面端部には、ＵＳＢインジケータ３９及び充電インジケータ４０が設けられる。
【００５３】
ＵＳＢインジケータ３９は、このクレイドル装置３０に載置した上記デジタルスチルカメラ１０と上記ＵＳＢケーブル３７を介して接続される図示しないパーソナルコンピュータ等の情報端末装置との間で画像データの送受等を行なっている状態で点灯駆動される。
【００５４】
充電インジケータ４０は、このクレイドル装置３０にデジタルスチルカメラ１０を載置して充電を行なっている状態で点灯駆動される。
【００５５】
上記コネクタ部３３のＵＳＢコネクタ３４に対し、上記第２の本体筐体１２の下面に形成されたＵＳＢコネクタ２６を嵌合させるようにしてデジタルスチルカメラ１０を載置すると、デジタルスチルカメラ１０の自重により図中に矢印Ｂで示すようにコネクタ部３３が沈み込み、同時に後ろ側に傾いて上記一対の側壁部３２ａ，３２ｂの上端に立てかけられるようになる。
【００５６】
このデジタルスチルカメラ１０の載置に際して、デジタルスチルカメラ１０が上記図１（Ａ）に示した収納／携帯時の閉じた状態である場合には、第１の本体筐体１１によりＵＳＢコネクタ３４の前側に位置するＡスイッチ３５が下方向に押圧される。
【００５７】
また、デジタルスチルカメラ１０が上記図１（Ｃ）に示した通常使用時の各機能部を表面側に露出した閉じた状態で載置された場合には、同じく第１の本体筐体１１によりＵＳＢコネクタ３４の後ろ側に位置するＢスイッチ３６が下方向に押圧される。
【００５８】
さらに、デジタルスチルカメラ１０が上記図１（Ｂ）に示した展開時のように開いた状態で載置された場合には、ＵＳＢコネクタ３４の前後に位置するＡスイッチ３５、Ｂスイッチ３６は共に押圧されない。
【００５９】
したがって、デジタルスチルカメラ１０のクレイドル装置３０への載置に関しては、デジタルスチルカメラ１０の第２の本体筐体１２のＵＳＢコネクタ２６とクレイドル装置３０のＵＳＢコネクタ３４とが電気的に接続されるのを検出する際、合わせてＡスイッチ３５とＢスイッチ３６の押圧状態を検出することにより、デジタルスチルカメラ１０の開閉状態を正確に検出することができる。
【００６０】
図３は、上記デジタルスチルカメラ１０に設けられる電子回路の構成を示すものである。同図で、基本モードである記録モードにおいては、モータ（Ｍ）４１の駆動により合焦位置や絞り位置が移動される、上記撮影レンズ１４を構成するレンズ光学系４２の撮影光軸後方に配置された撮像素子であるＣＣＤ４３が、タイミング発生器（ＴＧ）４４、垂直ドライバ４５によって走査駆動され、一定周期毎に結像した光像に対応する光電変換出力を１画面分出力する。
【００６１】
この光電変換出力は、アナログ値の信号の状態でＲＧＢの各原色成分毎に適宜ゲイン調整された後に、サンプルホールド回路（Ｓ／Ｈ）４６でサンプルホールドされ、Ａ／Ｄ変換器４７でデジタルデータに変換され、カラープロセス回路４８で画素補間処理及びγ補正処理を含むカラープロセス処理が行なわれて、デジタル値の輝度信号Ｙ及び色差信号Ｃｂ，Ｃｒが生成され、ＤＭＡ（ＤｉｒｅｃｔＭｅｍｏｒｙ  Ａｃｃｅｓｓ）コントローラ４９に出力される。
【００６２】
ＤＭＡコントローラ４９は、カラープロセス回路４８の出力する輝度信号Ｙ及び色差信号Ｃｂ，Ｃｒを、同じくカラープロセス回路４８からの複合同期信号、メモリ書込みイネーブル信号、及びクロック信号を用いて一度ＤＭＡコントローラ４９内部のバッファに書込み、ＤＲＡＭインタフェース（Ｉ／Ｆ）５０を介してバッファメモリとして使用されるＤＲＡＭ５１にＤＭＡ転送を行なう。
【００６３】
制御部５２は、ＣＰＵと、後述する自立使用時の処理を含む該ＣＰＵで実行される動作プログラムを固定的に記憶したＲＯＭ、及びワークメモリとして使用されるＲＡＭ等により構成され、このデジタルスチルカメラ１０全体の制御動作を司るもので、上記輝度及び色差信号のＤＲＡＭ５１へのＤＭＡ転送終了後に、この輝度及び色差信号をＤＲＡＭインタフェース５０を介してＤＲＡＭ５１より読出し、ＶＲＡＭコントローラ５３を介してＶＲＡＭ５４に書込む。
【００６４】
デジタルビデオエンコーダ５５は、上記輝度及び色差信号をＶＲＡＭコントローラ５３を介してＶＲＡＭ５４より定期的に読出し、これらのデータを元にビデオ信号を発生して上記表示部２３に出力する。
【００６５】
この表示部２３は、上述した如く記録モード時にはモニタ表示部（電子ファインダ）として機能するもので、デジタルビデオエンコーダ５５からのビデオ信号に基づいた表示を行なうことで、その時点でＶＲＡＭコントローラ５３から取込んでいる画像情報に基づく画像をリアルタイムに表示することとなる。
【００６６】
このように表示部２３にその時点での画像がモニタ画像としてリアルタイムに表示されている状態で、静止画撮影を行ないたいタイミングでキー入力部５６を構成する上記シャッタキー２４を操作すると、トリガ信号を発生する。
【００６７】
制御部５２は、このトリガ信号に応じてその時点でＣＣＤ４３から取込んでいる１画面分の輝度及び色差信号のＤＲＡＭ５１へのＤＭＡ転送の終了後、直ちにＣＣＤ４３からのＤＲＡＭ５１への経路を停止し、記録保存の状態に遷移する。
【００６８】
この記録保存の状態では、制御部５２がＤＲＡＭ５１に書込まれている１フレーム分の輝度及び色差信号をＤＲＡＭインタフェース５０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路５７に書込み、このＪＰＥＧ回路５７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００６９】
そして、得た符号データを１画像のデータファイルとして該ＪＰＥＧ回路５７から読出し、このデジタルスチルカメラ１０の記録媒体として着脱自在に装着されるメモリカード５８か、またはこのデジタルスチルカメラ１０に固定的に内蔵される内蔵メモリ５９のいずれか一方に書込む。
【００７０】
そして、１フレーム分の輝度及び色差信号の圧縮処理及びメモリカード５８または内蔵メモリ５９への全圧縮データの書込み終了に伴なって、制御部５２はＣＣＤ４３からＤＲＡＭ５１への経路を再び起動する。
【００７１】
また、制御部５２にはさらに、音声処理部６０、ＵＳＢインタフェース（Ｉ／Ｆ）６１、及びストロボ駆動部６２が接続される。
【００７２】
音声処理部６０は、ＰＣＭ音源等の音源回路を備え、音声の録音時には上記マイクロホン（ＭＩＣ）１６より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード５８または内蔵メモリ５９へ送出する一方、音声の再生時にはメモリカード５８または内蔵メモリ５９から送られてきた音声データファイルの圧縮を解いてアナログ化し、上記スピーカ（ＳＰ）１９を駆動して、拡声放音させる。
【００７３】
ＵＳＢインタフェース６１は、上記ＵＳＢコネクタ２６を介して有線接続される情報端末装置、例えばパーソナルコンピュータや上記クレイドル装置３０との間で画像データその他の送受を行なう場合の通信制御を行なう。
【００７４】
ストロボ駆動部６２は、静止画像撮影時に図示しないストロボ用の大容量コンデンサを充電した上で、制御部５２からの制御に基づいて上記ストロボ発光部１５を閃光駆動する。
【００７５】
なお、上記キー入力部５６は、上述したシャッタキー２４の他に、上記メニューキー２０、回転ダイヤル２１、及びセットキー２２等から構成され、それらのキー操作に伴なう信号は直接制御部５２へ送出される。
【００７６】
しかるに、静止画像ではなく動画像の撮影時においては、キー入力部５６のシシャッタキー２４が操作され続けている間、上述した静止画像データをＪＰＥＧ回路５７でデータ圧縮した静止画データファイルのメモリカード５８または内蔵メモリ５９への記録を時間的に連続して実行し、該シャッタキー２４の操作が終わるか、または所定の制限時間、例えば３０秒が経過した時点でそれら一連の静止画データファイルを一括してモーションＪＰＥＧのデータファイルとして設定し直す。
【００７７】
また、基本モードである再生モード時には、制御部５２がメモリカード５８または内蔵メモリ５９に記録されている画像データを選択的に読出し、ＪＰＥＧ回路５７で撮影モード時にデータ圧縮した手順と全く逆の手順で圧縮されている画像データを伸長し、伸長した画像データをＤＲＡＭインタフェース５０を介してＤＲＡＭ５１に保持させた上で、このＤＲＡＭ５１の保持内容をＶＲＡＭコントローラ５３を介してＶＲＡＭ５４に記憶させ、このＶＲＡＭ５４より定期的に画像データを読出してビデオ信号を発生し、上記表示部２３で再生出力させる。
【００７８】
選択した画像データが静止画像ではなく動画像であった場合、選択した動画像ファイルを構成する個々の静止画像データの再生を時間的に連続して実行し、すべての静止画像データの再生を終了した時点で、次に再生の指示がなされるまで先頭に位置する静止画像データのみを用いて再生表示する。
【００７９】
なお、図示はしないがこのデジタルスチルカメラ１０は当然ながら電池駆動で動作するもので、上記クレイドル装置３０に載置することで充電される充電池を有しているものとする。
【００８０】
続いて図４で上記クレイドル装置３０内の回路構成について示す。クレイドル装置３０は、このクレイドル装置３０全般の制御を司る制御部７１を中心として、この制御部７１にＵＳＢインタフェース（Ｉ／Ｆ）７２、充電制御部７３、スイッチ部７４、及びインジケータ部７５を接続して構成される。
【００８１】
ＵＳＢインタフェース７２は、上記ＵＳＢケーブル３７を介して外部に接続される図示しないパーソナルコンピュータ等の情報端末装置と、上記ＵＳＢコネクタ３４に接続される上記デジタルスチルカメラ１０との間で送受される画像データ等の転送制御を行なう。
【００８２】
充電制御部７３は、上記ＡＣコード３８を介してその先端のＡＣプラグ７６を図示しない家庭内のコンセントに接続した場合に得られるＡＣ電源を整流し、このクレイドル装置３０内の各回路へ必要な電圧の直流電源に変圧して供給する一方で、このクレイドル装置３０に載置されるデジタルスチルカメラ１０へ上記ＵＳＢコネクタ３４の電力線を介して充電用の直流電源を供給する。
【００８３】
スイッチ部７４は、上記Ａスイッチ３５及びＢスイッチ３６からなり、これらの導通状態を示す情報を制御部７１へ直接入力する。
【００８４】
インジケータ部７５は、上記ＵＳＢインジケータ３９及び充電インジケータ４０からなり、制御部７１からの制御信号に基づいてこれらを個別に点灯駆動する。
【００８５】
次に上記実施の形態の動作について説明する。
図５は、主としてクレイドル装置３０側の制御部７１が実行する、デジタルスチルカメラ１０の載置に関する処理内容を示すものである。
【００８６】
その当初には、ＵＳＢコネクタ３４に対してデジタルスチルカメラ１０の第２の本体筐体１２のＵＳＢコネクタ２６が接続されたか否かにより、デジタルスチルカメラ１０が載置されるのを待機する（ステップＳ０１）。
【００８７】
しかして、ＵＳＢコネクタ３４に対してデジタルスチルカメラ１０のＵＳＢコネクタ２６が接続され、デジタルスチルカメラ１０がクレイドル装置３０に載置されると、ステップＳ０１でこれを判断し、次にコネクタ部３３のＡスイッチ３５が導通しているか否かを判断する（ステップＳ０２）。
【００８８】
ここで、Ａスイッチ３５が導通していると判断した場合、図６（Ａ）に示すように、上記図１（Ａ）で示した収納／携帯時の第１の本体筐体１１と第２の本体筐体１２を閉じた状態でデジタルスチルカメラ１０がクレイドル装置３０に載置されたことになる。
【００８９】
したがって、Ａスイッチ３５が導通しているという情報をデジタルスチルカメラ１０側に送出すると共に、以後このデジタルスチルカメラ１０の充電のみを行なうものとする。
【００９０】
具体的には、ＵＳＢコネクタ３４からデジタルスチルカメラ１０のＵＳＢコネクタ２６が外れていないことを確認しながら（ステップＳ０３）、充電制御部７３により充電のみに必要な電力（電流値）を充電制御部７３よりＵＳＢコネクタ３４を介してデジタルスチルカメラ１０側に供給してデジタルスチルカメラ１０の充電池を充電させ（ステップＳ０４）、その端子電圧が所定値となったか否かにより当該充電池がフル充電状態となったか否かを判断する（ステップＳ０５）、という処理を繰返し実行することで、ＵＳＢコネクタ３４からデジタルスチルカメラ１０のＵＳＢコネクタ２６が取り外されるか、デジタルスチルカメラ１０の充電池がフル充電状態となるまで、その充電動作のみを続行する。
【００９１】
このときクレイドル装置３０のインジケータ部７５は、充電インジケータ４０のみが点灯駆動される。
【００９２】
ＵＳＢコネクタ３４からデジタルスチルカメラ１０のＵＳＢコネクタ２６が取り外された場合、上記ステップＳ０３でこれを判断し、クレイドル装置３０は再び上記ステップＳ０１からの動作に戻る。
【００９３】
また、デジタルスチルカメラ１０の充電池がフル充電状態となった場合、上記ステップＳ０５でこれを判断し、デジタルスチルカメラ１０の充電動作を停止する。
【００９４】
その後、ＵＳＢコネクタ３４からデジタルスチルカメラ１０のＵＳＢコネクタ２６が取り外されるのを待機し（ステップＳ０６）、取り外された時点でこれを判断して再び上記ステップＳ０１からの動作に戻る。
【００９５】
また、上記ステップＳ０２でコネクタ部３３のＡスイッチ３５が導通していないと判断した場合には、少なくとも上記図１（Ａ）に示した収納／携帯時の第１の本体筐体１１と第２の本体筐体１２を閉じた状態ではデジタルスチルカメラ１０がクレイドル装置３０に載置されていないため、次にコネクタ部３３のＢスイッチ３６が導通しているか否かを判断する（ステップＳ０７）。
【００９６】
ここで、Ｂスイッチ３６が導通していると判断した場合、図６（Ｂ）に示すように、上記図１（Ｃ）で示した通常使用時の第１の本体筐体１１と第２の本体筐体１２を閉じた状態でデジタルスチルカメラ１０がクレイドル装置３０に載置されたことになる。
【００９７】
したがって、Ｂスイッチ３６が導通しているという情報をデジタルスチルカメラ１０側に送出すると共に、以後このデジタルスチルカメラ１０の充電を行なう一方で、撮影により得た画像データを再生表示させるものとする。
【００９８】
具体的には、ＵＳＢコネクタ３４からデジタルスチルカメラ１０のＵＳＢコネクタ２６が外れていないことを確認した後に（ステップＳ０８）、充電制御部７３により充電と画像の再生表示に必要な電力（電流値）を充電制御部７３よりＵＳＢコネクタ３４を介してデジタルスチルカメラ１０側に供給してデジタルスチルカメラ１０の充電池を充電させ（ステップＳ０９）、併せてメモリカード５８または内蔵メモリ５９に記録している、撮影により得た画像データを順次読出し、一定時間、例えば５［秒］ずつ循環的に表示させる、所謂「スライドショー」機能をデジタルスチルカメラ１０で実行させながら（ステップＳ１０）、充電池の端子電圧が所定値となったか否かにより当該充電池がフル充電状態となったか否かを判断する（ステップＳ１１）、という処理を繰返し実行することで、ＵＳＢコネクタ３４からデジタルスチルカメラ１０のＵＳＢコネクタ２６が取り外されるか、デジタルスチルカメラ１０の充電池がフル充電状態となるまで、その充電動作と再生表示動作とを続行する。
【００９９】
このときクレイドル装置３０のインジケータ部７５は、充電インジケータ４０のみが点灯駆動される。
【０１００】
ＵＳＢコネクタ３４からデジタルスチルカメラ１０のＵＳＢコネクタ２６が取り外された場合、上記ステップＳ０８でこれを判断し、クレイドル装置３０は再び上記ステップＳ０１からの動作に戻る。
【０１０１】
また、デジタルスチルカメラ１０の充電池がフル充電状態となった場合、上記ステップＳ１１でこれを判断し、デジタルスチルカメラ１０の充電動作を停止し、デジタルスチルカメラ１０に充電が完了した旨を示す情報を送出して表示部２３で充電完了を示すガイドメッセージを一定時間表示させる（ステップＳ１２）。
【０１０２】
その後、上記「スライドショー」機能による画像の再生表示に必要な電力（電流値）のみを充電制御部７３よりＵＳＢコネクタ３４を介してデジタルスチルカメラ１０側に供給して画像の再生表示を実行させながら（ステップＳ１３）、ＵＳＢコネクタ３４からデジタルスチルカメラ１０のＵＳＢコネクタ２６が取り外されたか否かを判断する（ステップＳ１４）、という処理を繰返して実行し、ＵＳＢコネクタ３４からデジタルスチルカメラ１０のＵＳＢコネクタ２６が取り外されるのを待機する。
【０１０３】
そして、デジタルスチルカメラ１０が取り外された時点でこれをステップＳ１４で判断して、再び上記ステップＳ０１からの動作に戻る。
【０１０４】
また、上記ステップＳ０７でコネクタ部３３のＢスイッチ３６も導通していないと判断した場合には、上記図１（Ｃ）に示した通常使用時の第１の本体筐体１１と第２の本体筐体１２を閉じた状態でデジタルスチルカメラ１０がクレイドル装置３０に載置されたものでもないため、デジタルスチルカメラ１０の第１の本体筐体１１と第２の本体筐体１２とはそれぞれの面が少なくとも当接しておらず、その角度はある程度の範囲内で相違するであろうが、例えば図６（Ｃ）に示すように、上記図１（Ｂ）で示した第１の本体筐体１１と第２の本体筐体１２を展開した状態でデジタルスチルカメラ１０がクレイドル装置３０に載置されたことになる。
【０１０５】
したがって、Ａスイッチ３５とＢスイッチ３６が共に導通していないという情報をデジタルスチルカメラ１０側に送出すると共に、以後このデジタルスチルカメラ１０の充電を行なう一方で、撮影レンズ１４により撮影を行ない、その撮影画像を表示部２３でモニタ表示させるものとする。
【０１０６】
具体的には、ＵＳＢコネクタ３４からデジタルスチルカメラ１０のＵＳＢコネクタ２６が外れていないことを確認した後に（ステップＳ１５）、充電制御部７３により充電と画像の撮影と表示に必要な電力（電流値）を充電制御部７３よりＵＳＢコネクタ３４を介してデジタルスチルカメラ１０側に供給してデジタルスチルカメラ１０の充電池を充電させ（ステップＳ１６）、併せて記録モード時と同様にしてＣＣＤ４３で撮像される画像を表示部２３で表示させるモニタ表示を実行させながら（ステップＳ１７）、充電池の端子電圧が所定値となったか否かにより当該充電池がフル充電状態となったか否かを判断する（ステップＳ１８）、という処理を繰返し実行することで、ＵＳＢコネクタ３４からデジタルスチルカメラ１０のＵＳＢコネクタ２６が取り外されるか、デジタルスチルカメラ１０の充電池がフル充電状態となるまで、その充電動作とモニタ表示動作とを続行する。
【０１０７】
この場合、通常撮影時と同様に画像を表示部２３に表示させると、表示部２３で表示される画像は天地が逆になった、きわめて不自然な画像となってしまうため、１８０°画像を回転させて表示させる。
【０１０８】
また、このときデジタルスチルカメラ１０で得られるビデオ信号はクレイドル装置３０のＵＳＢインタフェース７２からＵＳＢケーブル３７を介して図示しない情報端末装置、例えばパーソナルコンピュータにも出力することにより、このクレイドル装置３０に載置したデジタルスチルカメラ１０を同時にパーソナルコンピュータ用のカメラとしても使用することができ、パーソナルコンピュータによる電子メールやチャットに使用するなど、種々のネットワークコミュニケーションに適したものとしても活用できる。
【０１０９】
このときクレイドル装置３０のインジケータ部７５は、ＵＳＢインジケータ３９と充電インジケータ４０の双方が点灯駆動される。
【０１１０】
ＵＳＢコネクタ３４からデジタルスチルカメラ１０のＵＳＢコネクタ２６が取り外された場合、上記ステップＳ１５でこれを判断し、クレイドル装置３０は再び上記ステップＳ０１からの動作に戻る。
【０１１１】
また、デジタルスチルカメラ１０の充電池がフル充電状態となった場合、上記ステップＳ１８でこれを判断し、デジタルスチルカメラ１０の充電動作を停止し、デジタルスチルカメラ１０に充電が完了した旨を示す情報を送出して表示部２３で充電完了を示すガイドメッセージを一定時間表示させる（ステップＳ１９）。
【０１１２】
その後、上記撮影とモニタ表示に必要な電力（電流値）のみを充電制御部７３よりＵＳＢコネクタ３４を介してデジタルスチルカメラ１０側に供給して撮影に伴うモニタ表示動作を実行させながら（ステップＳ２０）、ＵＳＢコネクタ３４からデジタルスチルカメラ１０のＵＳＢコネクタ２６が取り外されたか否かを判断する（ステップＳ２１）、という処理を繰返して実行し、ＵＳＢコネクタ３４からデジタルスチルカメラ１０のＵＳＢコネクタ２６が取り外されるのを待機する。
【０１１３】
そして、デジタルスチルカメラ１０が取り外された時点でこれをステップＳ２１で判断して、再び上記ステップＳ０１からの動作に戻る。
【０１１４】
このように、デジタルスチルカメラ１０の第１の本体筐体１１の撮影レンズ１４を設けた面と第２の本体筐体１２の表示部２３を設けた面とが当接し、互いにその機能面が内側に閉じた状態でクレイドル装置３０に載置された場合には、デジタルスチルカメラ１０の充電池の充電のみを行なうため、無駄な動作モードに移行することなく、該充電池の充電のみを確実に実施させることができる。
【０１１５】
また、第１の本体筐体１１の撮影レンズ１４と第２の本体筐体１２の表示部２３とが互いに反対側の外側を向くようにデジタルスチルカメラ１０を閉じた状態でクレイドル装置３０に載置した場合には、デジタルスチルカメラ１０の充電池の充電のみならず、ユーザによる何らかの煩雑な選択操作なしに、表示部２３を用いた再生表示の動作モードに自動的に移行させる。
【０１１６】
これにより、充電を行なう一方でこのデジタルスチルカメラ１０を電子的な写真立てのように使用することができる。
【０１１７】
さらに、第１の本体筐体１１と第２の本体筐体１２とが開き、撮影レンズ１４と表示部２３がおおむね同一の方向に向いた状態でデジタルスチルカメラ１０がクレイドル装置３０に載置された場合には、デジタルスチルカメラ１０の充電池の充電のみならず、ユーザによる何らかの煩雑な選択操作なしに、撮影レンズ１４でその時点で撮影している画像を表示部２３でモニタ表示させる動作モードに自動的に移行させる。
【０１１８】
これにより、クレイドル装置３０を予めパーソナルコンピュータ等の情報端末装置に接続しておくことで、デジタルスチルカメラ１０をその装置用のカメラとして使用できるなど、種々のネットワークコミュニケーションに適したものとしても活用できる。
【０１１９】
なお、上記実施の形態では、クレイドル装置３０側のコネクタ部３３にＵＳＢコネクタ３４を挟んでＡスイッチ３５とＢスイッチ３６とを設けるものとし、デジタルスチルカメラ１０の第１の本体筐体１１と第２の本体筐体１２の開閉状態をクレイドル装置３０の側で検出して、その検出結果を載置されているデジタルスチルカメラ１０へ送信するものとした。
【０１２０】
これにより、小型化が要求されるデジタルスチルカメラ１０側にその開閉状態を検出するための機構等を設ける必要がなく、構成機構上の制約を低減できると共に、クレイドル装置３０が充電に必要な電力と、その他、記録している画像の表示、あるいは撮影とモニタ表示など、その時点で実行する動作に必要な電力を正確に認識した上でデジタルスチルカメラ１０に電力供給することができる。
【０１２１】
これに対して、あえてデジタルスチルカメラ１０の側、例えばヒンジ部１３の第１の本体筐体１１と第２の本体筐体１２の回動支持部等に開閉角度を検出する機構を設けてデジタルスチルカメラ１０側の内部で開閉状態を検出するようにしてもよい。
【０１２２】
この場合、デジタルスチルカメラ１０側が単体でその検出結果に応じてクレイドル装置への載置時の動作を制御でき、速やかに必要な動作モードに移行できる。
【０１２３】
なお、上記実施の形態は本発明をデジタルスチルカメラ１０とそのクレイドル装置３０によるデジタルスチルシステムに適用した場合について説明したものであるが、本発明はこれに限らず、例えばカメラ機能付きの折りたたみ式携帯電話器とそのクレイドル装置や、カメラ機能付きの折りたたみ式ＰＤＡ（Ｐｅｒｓｏｎａｌ  Ｄｉｇｉｔａｌ  Ａｓｓｉｓｔａｎｔ：携帯情報端末）とそのクレイドル装置など、各種携帯電子機器単体、もしくはそれを含むシステム等にも適用することが可能である。
【０１２４】
その他、本発明は上記実施の形態に限らず、その要旨を逸脱しない範囲内で種々変形して実施することが可能であるものとする。
【０１２５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１２６】
【発明の効果】
請求項１記載の発明によれば、第１の筐体の撮影部を設けた面と第２の筐体の表示部を設けた面とが当接し、互いにその機能面が内側に閉じた状態でクレイドル装置に載置された場合に、上記充電池の充電のみを行なうため、無駄な動作モードに移行することなく、充電池の充電のみを確実に実施させることができる。
【０１２７】
請求項２記載の発明によれば、上記請求項１記載の発明の効果に加えて、第１の筐体の撮影部と第２の筐体の表示部とが互いに反対側の外側を向くように閉じた状態でクレイドル装置に載置された場合に、上記充電池の充電のみならず、ユーザによる何らかの煩雑な選択操作なしに、表示部を用いた再生表示の動作モードに自動的に移行させることができる。
【０１２８】
請求項３記載の発明によれば、上記請求項１記載の発明の効果に加えて、第１の筐体と第２の筐体とが開き、撮影部と表示部とが共にほぼ同一の方向に向いた状態でクレイドル装置に載置された場合に、上記充電池の充電のみならず、ユーザによる何らかの煩雑な選択操作なしに、撮影部でその時点で撮影している画像を表示部でモニタ表示させる動作モードに自動的に移行させることができ、該クレイドル装置をパーソナルコンピュータに接続しておくことでパーソナルコンピュータ用のカメラとして使用できるなど、種々のネットワークコミュニケーションに適したものとしても活用できる。
【０１２９】
請求項４記載の発明によれば、上記請求項３記載の発明の効果に加えて、撮影部で撮影した画像の天地をユーザに見やすい状態に直して表示させることができる。
【０１３０】
請求項５記載の発明によれば、上記請求項１乃至４いずれかに記載の発明の効果に加えて、携帯電子機器の第１の筐体と第２の筐体の開閉状態をクレイドル装置の側で検出し、検出結果を載置されている携帯電子機器へ送信するようにしたので、小型化が要求される携帯電子機器側にその開閉状態を検出するための機構等を設ける必要がなく、構成機構上の制約を低減できると共に、クレイドル装置が充電に必要な電力とその他の動作に必要な電力とを認識した上で携帯電子機器に電力供給することができる。
【０１３１】
請求項６記載の発明によれば、上記請求項１乃至４いずれかに記載の発明の効果に加えて、携帯電子機器の側でクレイドル装置に載置された自機器の第１の筐体と第２の筐体の開閉状態を検出し、その検出結果に応じた充電を含む動作状態に移行するようにしたので、携帯電子機器単体でクレイドル装置へのセット時の動作を制御でき、速やかに必要な動作モードに移行できる。
【０１３２】
請求項７記載の発明によれば、クレイドル装置に載置された携帯電子機器の第１の筐体と第２の筐体の開閉状態により、上記充電池の充電のみならず、ユーザによる何らかの煩雑な選択操作なしに、必要により表示部で何らかの画像を表示させる動作モードに自動的に移行させることができる。
【０１３３】
請求項８記載の発明によれば、クレイドル装置に載置された携帯電子機器の第１の筐体と第２の筐体の開閉状態により、上記充電池の充電のみならず、ユーザによる何らかの煩雑な選択操作なしに、必要により表示部で何らかの画像を表示させる動作モードに自動的に移行させることができる。
【０１３４】
請求項９記載の発明によれば、クレイドル装置に載置された携帯電子機器の第１の筐体と第２の筐体の開閉状態により、上記充電池の充電のみならず、ユーザによる何らかの煩雑な選択操作なしに、必要により表示部で何らかの画像を表示させる動作モードに自動的に移行させることができる。
【図面の簡単な説明】
【図１】本発明の実施の一形態に係るデジタルスチルカメラの外観構成を示す斜視図。
【図２】同実施の形態に係るクレイドル装置の外観構成を示す斜視図。
【図３】同実施の形態に係るデジタルスチルカメラの回路構成を示すブロック図。
【図４】同実施の形態に係るクレイドル装置の回路構成を示すブロック図。
【図５】同実施の形態に係るデジタルスチルカメラのクレイドル装置への載置に対する処理内容を示すフローチャート。
【図６】同実施の形態に係るデジタルスチルカメラのクレイドル装置への載置状態を例示する斜視図。
【符号の説明】
１０…デジタルスチルカメラ、１１…第１の本体筐体、１２…第２の本体筐体、１３…ヒンジ部、１４…撮影レンズ、１５…ストロボ発光部、１６…マイクロホン（ＭＩＣ）、１７…セルフタイマインジケータ、１８…レンズよけ凹部、１９…スピーカ（ＳＰ）、２０…メニューキー、２１…回転ダイヤル、２２…セットキー、２３…表示部、２４…シャッタキー、２５ａ〜２５ｄ…滑り止め部、２６…ＵＳＢコネクタ、３０…クレイドル装置、３１…基台、３２ａ，３２ｂ…側壁部、３３…コネクタ部、３４…ＵＳＢコネクタ、３５…Ａスイッチ、３６…Ｂスイッチ、３７…ＵＳＢケーブル、３８…ＡＣコード、３９…ＵＳＢインジケータ、４０…充電インジケータ、４１…モータ（Ｍ）、４２…レンズ光学系、４３…ＣＣＤ、４４…タイミング発生器（ＴＧ）、４５…垂直ドライバ、４６…サンプルホールド回路（Ｓ／Ｈ）、４７…Ａ／Ｄ変換器、４８…カラープロセス回路、４９…ＤＭＡコントローラ、５０…ＤＲＡＭインタフェース（Ｉ／Ｆ）、５１…ＤＲＡＭ、５２…制御部、５３…ＶＲＡＭコントローラ、５４…ＶＲＡＭ、５５…デジタルビデオエンコーダ、５６…キー入力部、５７…ＪＰＥＧ回路、５８…メモリカード、５９…内蔵メモリ、６０…音声処理部、６１…ＵＳＢインタフェース、６２…ストロボ駆動部、７１…制御部、７２…ＵＳＢインタフェース（Ｉ／Ｆ）、７３…充電制御部、７４…スイッチ部、７５…インジケータ部、７６…ＡＣプラグ。
【図１】
2004282605.tif 000003
【図２】
2004282605.tif 000004
【図３】
2004282605.tif 000005
【図４】
2004282605.tif 000006
【図５】
2004282605.tif 000007
【図６】
2004282605.tif 000008